(57)【特許請求の範囲】
【請求項１】
軒先に前方に突出するように固定される取付足部と、該取付足部の前端側で軒樋を受け支持する樋支持部とを備えた軒樋支持具において、
前記取付足部の前端と、前記樋支持部の後端とのそれぞれにヒンジ部が形成され、両ヒンジ部を結合することで、前記樋支持部が前記取付足部に対して回動されるようになっており、
前記取付足部のヒンジ部には上方に突出した固定側起立片が形成されている一方、前記樋支持部のヒンジ部には、前記軒樋を支持する位置において、前記固定側起立片よりも後方で、前記固定側起立片に略平行に起立した可動側起立片が形成されており、
前記固定側起立片と前記可動側起立片との間に差し込まれる回動阻止板片をさらに有したことを特徴とする軒樋支持具。
【請求項２】
請求項１において、
前記回動阻止板片は、前記取付足部の上面より分岐延設された延設部の前端に、下方に延びるように一体に形成されており、
前記延設部は、前記回動阻止板片が上下移動できるように、前記取付足部の上面に回動自在に取り付けられていることを特徴とする軒樋支持具。
【発明の詳細な説明】
【技術分野】
【０００１】
本発明は、軒先に固定される取付足部と、取付足部の前端側で軒樋を受け支持する樋支持部とを備えた軒樋支持具に関する。
【背景技術】
【０００２】
軒樋は上方に向けて開口しているため、落葉や土が溜まりやすく、溜まったごみによって軒樋としての機能が減退するおそれがある。
【０００３】
したがって、定期的に掃除をする必要がある。掃除を効率よく実施するためには、取り外しが簡単にできるものが望ましく、従来には、軒樋全体を取り外しできるように着脱自在な軒樋支持具が提案されている（たとえば、特許文献１参照）。
【０００４】
特許文献１に記載された軒樋支持具は、寒冷地などでの積雪による軒樋の損傷を回避することを目的としたものである。すなわち、この軒樋支持具によれば、軒樋および軒樋支持具を、外観を悪くすることなくきれいに取り外せるようになっている。
【先行技術文献】
【特許文献】
【０００５】
【特許文献１】特開２０１１−１２３９８号公報
【発明の概要】
【発明が解決しようとする課題】
【０００６】
しかしながら、特許文献１のものは上記目的により取り外しできるものであるため、軒樋よりごみを除去するために一時的にかつ簡易に軒樋を取り外しできるようなものとはなっていない。
【０００７】
本発明は、このような事情を考慮して提案されたもので、その目的は、軒樋を一時的にかつ簡易に取り外しできる軒樋支持具を提供することにある。なお、軒樋の取り外しとしては、軒樋を軒樋支持具から完全に取り外すことのみならず、ごみを除去しやすいように軒樋を前方に傾けることも含まれる。
【課題を解決するための手段】
【０００８】
上記目的を達成するために、請求項１に記載の軒樋支持具は、軒先に前方に突出するように固定される取付足部と、取付足部の前端側で軒樋を受け支持する樋支持部とを備えた軒樋支持具において、取付足部の前端と、樋支持部の後端とのそれぞれにヒンジ部が形成され、両ヒンジ部を結合することで、樋支持部が取付足部に対して回動されるようになっており、取付足部のヒンジ部には上方に突出した固定側起立片が形成されている一方、樋支持部のヒンジ部には、軒樋を支持する位置において、固定側起立片よりも後方で、固定側起立片に略平行に起立した可動側起立片が形成されており、固定側起立片と可動側起立片との間に差し込まれる回動阻止板片をさらに有したことを特徴とする。
【０００９】
請求項２に記載の軒樋支持具は、回動阻止板片は、取付足部の上面より分岐延設された延設部の前端に、下方に延びるように一体に形成されており、延設部は、回動阻止板片が上下移動できるように、取付足部の上面に回動自在に取り付けられていることを特徴とする。
【発明の効果】
【００１０】
請求項１に記載の軒樋支持具によれば、上述した構成となっているため、軒樋内の掃除をするために軒樋を一時的にかつ簡易に取り外しすることができる。また、軒樋支持具は軒樋を前方に傾けるための回動機構を有しているため、掃除作業が取り外し作業の直後に実施でき、迅速に作業を終えることができる。また、軒樋を傾けるだけの取り外しであるため、掃除後の取り付けを簡単にできる。
【００１１】
請求項２に記載の軒樋支持具によれば、回動阻止板片が取付足部と一体となっているため、必要なときすぐに利用することができ、回動阻止板片を紛失するおそれもない。
【図面の簡単な説明】
【００１２】
【図１】本発明の一実施形態に係る軒樋支持具の側面図および要部拡大縦断面図である。
【図２】軒樋支持具の一部を省略した分解斜視図である。
【図３】（ａ）（ｂ）は、軒樋の取り外し手順を示した軒樋支持具の模式側面図である。
【図４】（ａ）は、軒樋の取り付け（復帰）手順を示した軒樋支持具の模式側面図である。（ｂ）は、軒樋の取り付け手順を示した要部拡大模式縦断面図である。
【発明を実施するための形態】
【００１３】
以下に、本発明の実施の形態に係る軒樋支持具について、添付図面にもとづいて説明する。
【００１４】
まず、以下に説明する各種の軒樋支持具１の基本構成について説明する。この軒樋支持具１は、軒先に前方に突出するように固定される取付足部２０と、取付足部２０の前端側で軒樋５を受け支持する樋支持部１０とを備えた樋支持具である。この軒樋支持具１は、取付足部２０の前端と、樋支持部１０の後端とのそれぞれにヒンジ部２１、１１が形成され、両ヒンジ部２１、１１を結合することで、樋支持部１０が取付足部２０に対して回動されるようになっている。
【００１５】
軒樋支持具１の取付足部２０のヒンジ部２１には、上方に突出した固定側起立片２３が形成されている。一方、樋支持部１０のヒンジ部１１には、軒樋５を支持する位置（以下、この位置の状態を定常状態という）において、固定側起立片２３よりも後方で、固定側起立片２３に略平行に起立した可動側起立片１２が形成されている。軒樋支持具１はさらに、固定側起立片２３と可動側起立片１２との間に差し込まれる回動阻止板片２６を有している。
【００１６】
ついで、軒樋支持具１の詳細な構成、効果について説明する。
【００１７】
図１と図２に示した軒樋支持具１は、上述したように、取付足部２０と樋支持部１０とを備えた構成とされる。取付足部２０は、金属帯板体よりなり、後部２０ｂと前部２０ａとの間で捻られた形状とされ、後部では板面が軒先の垂木３などに側方から固定具で固定できるように側方を向いており、前部２０ａでは板面が上下方向を向いている。なお、軒樋支持具１は屋根の傾斜に応じて、図１に示すように傾斜した状態に取り付けられる。
【００１８】
上述したように、取付足部２０の前端にはヒンジ部２１が形成されている。そのヒンジ部２１は二股に分かれて２つのピン挿通部２２が形成されており、それらの間に樋支持部１０のヒンジ部１１が配されるようになっている。また、２つのピン挿通部２２のそれぞれ上部には、取付足部２０の前部２０ａの板面に対して略垂直な角度で起立した固定側起立片２３が形成されている。
【００１９】
また、取付足部２０の前部２０ａの上面には、分岐延設された延設部２５と、その前端で折曲されて下方に延びた回動阻止板片２６とが「く」の字状に一体に形成された折曲片Ａが固定されている。図１、図２に示したものは、延設部２５の基部に固定部２５ａが形成され、取付足部２０に固定されている。
【００２０】
延設部２５の固定部２５ａの前方には平板な帯板よりなる竿部２５ｂが形成され、その上端で折曲され回動阻止板片２６が下方に延出している。その竿部２５ｂは、回動阻止板片２６の下端が取付足部２０の前部２０ａに対して接離するように回動自在となっている。
【００２１】
図１に示すように、定常状態では、回動阻止板片２６は重力により下方に移動するため、回動阻止板片２６の下端が取付足部２０の前部２０ａの板面に接触あるいは近接した状態にある。この延設部２５の竿部２５ｂは、固定部２５ａに対してヒンジ結合されることが望ましい。たとえば、竿部２５ｂと固定部２５ａとの境界部２５ｃが柔軟な素材で形成されて、竿部２５ｂの回動を可能としたものでもよい。
【００２２】
回動阻止板片２６は、取付足部２０の前部２０ａの板面に接触あるいは近接した状態にあるときには、図１に示すように、その板面に対して略垂直な角度で起立している。この回動阻止板片２６の動作と作用については、上述した取付足部２０に設けた固定側起立片２３と、後述する樋支持部１０に設けた可動側起立片１２との関係の説明とともに後述する。
【００２３】
つぎに樋支持部１０について説明する。樋支持部１０は取付足部２０とは別体とされ、図１に示すように、湾曲形状の軒樋５を受け支持できるように湾曲した形状となっており、軒樋５の前後のそれぞれを係止して軒樋５を固定する構造となっている。樋支持部１０の後端には、ピン挿通部よりなるヒンジ部１１が形成され、そのピン挿通部には可動側起立片１２が突出形成されている。
【００２４】
取付足部２０のヒンジ部２１と、樋支持部１０のヒンジ部１１とは、ピン７が連通状態にある両ヒンジ部２１、１１に挿通されることで結合され、結合ヒンジ部８が構成される。
【００２５】
図１に示すように、ヒンジ部２１、１１どうしがヒンジ結合され、各ヒンジ部２１、１１に設けられた固定側起立片２３、可動側起立片１２を離間させて略平行に起立させた状態が軒樋５を適切な位置に支持できる定常状態である。そして、固定側起立片２３、可動側起立片１２間の空隙に回動阻止板片２６が差し込まれることで樋支持部１０の回動が阻止され、図１に示した軒樋支持の状態が維持される。固定側起立片２３、可動側起立片１２間に回動阻止板片２６などの邪魔板がない場合には、樋支持部１０はその重力により回動し、ぶら下がった状態となる（図３（ｂ）参照）。
【００２６】
軒樋５は、その長手方向の適所において複数の軒樋支持具１で支持されるようになっているため、各軒樋支持具１における回動阻止板片２６の固定側起立片２３、可動側起立片１２間への挿着により軒樋５は固定した定常状態が維持されるが、定常状態が確実に維持されるように、軒樋支持具１に回動阻止板片２６が外れないような固定構造を付加してもよい。たとえば、回動阻止板片２６と、固定側起立片２３、可動側起立片１２の少なくともいずれか一方とをクリップで挟着するようにしてもよいし、回動阻止板片２６に係止片を設けて取付足部２０の前部２０ａに係止されるようにしてもよい。
【００２７】
ついで、軒樋５の取り外しおよび復帰取り付けについて、図３（ａ）（ｂ）および図４（ａ）（ｂ）を参照しながら説明する。なお、図３（ａ）（ｂ）および図４（ａ）は模式的な図面であり、見やすくするために、軒樋支持具１の取付足部２０を実線で図示し、樋支持部１０を破線で図示した。
【００２８】
軒樋支持具１は上述したような構造となっているため、図３（ａ）（ｂ）に示すように、回動阻止板片２６を上方に回動させて固定側起立片２３、可動側起立片１２間から取り除くことで、軒樋５を、内部を前方に向けた一時的な取り外しの状態にすることができる。なお、樋支持部１０がぶら下がりの状態になれば、上方に移動させた回動阻止板片２６（折曲片Ａ）から手を離して、回動阻止板片２６を元の位置に復帰させればよい。つまり、回動阻止板片２６は、図３（ｂ）に示したように、矢印Ｍ、Ｎの順に上、下移動することで元の位置に戻るが、そのときには樋支持部１０および軒樋５は回動して前方を向いた状態となっている。
【００２９】
こうして軒樋５の内部が前方を向いていれば、溜まったごみＧを、図３（ｂ）に示したように簡単に除去することができる。ようするに、軒樋５を完全に取り外さずとも軒樋５の内部のごみＧを掃き出ししやすくなる。いったんこの状態にすれば、軒樋５を完全に取り外すことも簡単にできる。
【００３０】
上記のような回動阻止板片２６の取り外しは、作業を迅速にするためには、軒樋５の長手方向に並ぶ複数の軒樋支持具１について同時に行うことが望ましい。たとえば、複数の軒樋支持具１に対して、長めの帯状の薄板で構成された外し具を回動阻止板片２６と固定側起立片２３との間に差し込み、その下端を後方に回動させることで回動阻止板片２６を上方に持ち上げるようにして同時に取り外してもよい。
【００３１】
また、軒樋５の元の状態への復帰取り付けは、図４に示した手順でなされる。つまり、図４（ａ）に示したように、樋支持部１０を元の方向に回動させることで、樋支持部１０の可動側起立片１２が回動阻止板片２６を前方より押圧し、それにより上方に回動させて持ち上げ（図４（ｂ）参照）、可動側起立片１２が回動阻止板片２６の下端よりも下方をくぐり抜け、元の固定側起立片２３の後方側の位置に復帰する。そして、その直後に回動阻止板片２６が重力により下方に回動して、元の回動阻止可能な状態（図３（ａ）参照）に復帰する。
【００３２】
以上のように、軒樋５の元の位置への復帰取り付けも簡単な操作で迅速に行うことができる。したがって、軒樋５が長時間にわたって機能が損なわれることを防止することができる。
【００３３】
また、本実施形態に係る軒樋支持具１によれば、回動阻止板片２６が取付足部２０に固定され一体となっているため、必要なときすぐに利用でき、回動阻止板片２６を紛失するおそれもない。もちろん、回動阻止板片は、取付足部２０や樋支持部１０とは別体であってもよく、固定側起立片２３、可動側起立片１２間に差し込むことができる小板片で構成されたものとしてもよい。
【００３４】
また、軒樋５を支持する複数の軒樋支持具１に共通の棒状の長板片よりなる回動阻止板片を固定側起立片２３、可動側起立片１２間に差し込むようにしてもよい。このような長板片よりなる回動阻止板片を用いれば、複数の軒樋支持具１について、回動阻止板片を複数の軒樋支持具１に対して同時に取り外し、取り付けができるので、迅速な作業を実施することができる。
【００３５】
以上の実施形態に係る軒樋支持具１は、延設部２５の竿部２５ｂおよび回動阻止板片２６が重力により下方に回動するようになっているが、折曲片Ａをばね材で形成し、弾性復帰力により下方に回動する構成としてもよい。
【符号の説明】
【００３６】
１          軒樋支持具
３          垂木
５          軒樋
７          ピン
８          結合ヒンジ部
１０        樋支持部
１１        ヒンジ部（ピン挿通部）
１２        可動側起立片
２０        取付足部
２０ａ      前部
２０ｂ      後部
２１        ヒンジ部
２２        ピン挿通部
２３        固定側起立片
２５        延設部
２５ａ      固定部
２５ｂ      竿部
２５ｃ      境界部
２６        回動阻止板片
Ａ          折曲片
【要約】
【課題】軒樋を一時的にかつ簡易に取り外しできる軒樋支持具を提供する。
【解決手段】軒樋支持具１は、取付足部２０の前端と、樋支持部１０の後端とのそれぞれにヒンジ部２１、１１が形成され、両ヒンジ部２１、１１を結合することで、樋支持部１０が取付足部２０に対して回動されるようになっており、取付足部２０のヒンジ部２１には上方に突出した固定側起立片２３が形成されている一方、樋支持部１０のヒンジ部２１には、軒樋５を支持する位置において、固定側起立片２３よりも後方で、固定側起立片２３に略平行に起立した可動側起立片１２が形成されており、固定側起立片２３と可動側起立片１２との間に差し込まれる回動阻止板片２６をさらに有している。
【選択図】図１【図１】
0005978375.tif 000002
【図２】
0005978375.tif 000003
【図３】
0005978375.tif 000004
【図４】
0005978375.tif 000005